(57)【要約】【課題】機器に接続された複数のネットワークに応じて実現機能が異なる場合に、一方の接続でしか実現できない機能を選択するために、都度、接続の切り替えを行う必要があった。【解決手段】レコーダ２０の記録部２０４に記録されたコンテンツのうち、ＨＤＭＩ接続でのみ伝送可能なコンテンツも視聴可能なコンテンツとした一覧を画面提供部２０１が作成してテレビ３０に提示し、テレビ３０でそれを表示し、ユーザが上記コンテンツを選択した場合のみ、必要に応じて接続をＩＰからＨＤＭＩへ切り替える。これにより、不必要な切り替えのための待ち時間が無くなり、ユーザの使い勝手が向上する。【選択図】図２
2009253789.tif 000002
【特許請求の範囲】
【請求項１】
テレビと、
前記テレビとＩＰにより接続され、前記テレビとＨＤＭＩにより接続可能な第１のレコーダとを備え、
前記テレビと前記第１のレコーダとが前記ＨＤＭＩにより接続されていない場合は、前記第１のレコーダは、前記ＩＰを経由した前記テレビからの要求に応じて、前記第１のレコーダに記録されたコンテンツのうち前記ＩＰを通じて伝送できるコンテンツを視聴可能なコンテンツとした一覧を前記テレビに前記ＩＰを経由して提示し、
前記テレビと前記第１のレコーダとが前記ＨＤＭＩにより接続されている場合は、前記第１のレコーダは、前記ＩＰを経由した前記テレビからの要求に応じて、前記第１のレコーダに記録された全てのコンテンツを視聴可能なコンテンツとした一覧を前記テレビに前記ＩＰを経由して提示し、
前記テレビは、前記提示された一覧を表示可能である視聴システム。
【請求項２】
前記第１のレコーダは、前記ＩＰにより接続した前記テレビの能力を検出する第１の接続検出器を有し、
前記第１のレコーダは、前記第１の接続検出器により検出した前記テレビの能力を基に、前記第１のレコーダに記録されたコンテンツのうちどれが前記ＩＰを通じて伝送できるコンテンツであるかを判断することを特徴とする請求項１記載の視聴システム。
【請求項３】
前記テレビと前記第１のレコーダとが前記ＨＤＭＩにより接続されている場合は、前記第１のレコーダは、前記ＨＤＭＩを経由した前記テレビからの要求に応じて、前記レコーダに記録された全てのコンテンツを視聴可能なコンテンツとした一覧を前記テレビに前記ＨＤＭＩを経由して提示することを特徴とする請求項１記載の視聴システム。
【請求項４】
前記テレビと前記第１のレコーダとが前記ＨＤＭＩにより接続されている場合は、前記テレビから前記第１のレコーダに対して、前記提示された一覧の中の前記ＩＰを通じては伝送できないものの前記ＨＤＭＩを通じて伝送できるコンテンツに対する再生指示が前記ＩＰを経由して行われたときに、前記テレビは、入力を前記ＩＰから前記ＨＤＭＩに切り替えてから、前記第１のレコーダが再生する前記コンテンツを前記ＨＤＭＩを通じて入力して表示することを特徴とする請求項１に記載の視聴システム。
【請求項５】
さらに、前記ＩＰにより、前記テレビと前記第１のレコーダとに接続された第２のレコーダを備え、
前記テレビと前記第１のレコーダとが前記ＨＤＭＩにより接続されていない場合は、前記第２のレコーダは、前記ＩＰを経由した前記テレビからの要求に応じて、前記第１のレコーダに記録されたコンテンツと前記第２のレコーダに記録されたコンテンツとのうち前記ＩＰを通じて伝送できるコンテンツを視聴可能なコンテンツとした一覧を前記テレビに前記ＩＰを経由して提示し、
前記テレビと前記第１のレコーダとが前記ＨＤＭＩにより接続されている場合は、前記第２のレコーダは、前記ＩＰを経由した前記テレビからの要求に応じて、前記第１のレコーダに記録された全てのコンテンツと、前記第２のレコーダに記録されたコンテンツのうち前記ＩＰを通じて伝送できるコンテンツとを視聴可能なコンテンツとした一覧を前記テレビに前記ＩＰを経由して提示することを特徴とする請求項１記載の視聴システム。
【請求項６】
前記第２のレコーダは、前記ＩＰにより接続した前記テレビの能力を検出する第２の接続検出器を有し、
前記第２のレコーダは、前記第２の接続検出器により検出した前記テレビの能力を基に、前記第２のレコーダに記録されたコンテンツのうちどれが前記ＩＰを通じて伝送できるコンテンツであるかを判断することを特徴とする請求項５記載の視聴システム。
【請求項７】
前記テレビと前記第１のレコーダとが前記ＨＤＭＩにより接続されている場合は、前記テレビから前記第２のレコーダに対して、前記第２のレコーダから提示された前記一覧の中の、前記ＩＰを通じては伝送できないものの前記ＨＤＭＩを通じて伝送できるコンテンツに対する再生指示が前記ＩＰ経由で行われたときに、前記テレビは、入力を前記ＩＰから前記ＨＤＭＩに切り替えてから、前記第１のレコーダが再生する前記コンテンツを前記ＨＤＭＩを通じて入力して表示することを特徴とする請求項５に記載の視聴システム。
【発明の詳細な説明】
【技術分野】
【０００１】
本発明は、テレビ及びテレビにネットワークを介して接続されている機器に関するものであり、特にテレビとＩＰ（Ｉｎｔｅｒｎｅｔ  Ｐｒｏｔｏｃｏｌ）ネットワークを介して接続されたＤＶＤレコーダ、ＢＤレコーダ、パソコンなどの機器から構成されるシステムに関する。
【背景技術】
【０００２】
テレビやレコーダを始めとするＡＶ機器のデジタル化やネットワーク化が進展し、宅内に敷設されたイーサネット（登録商標）ケーブルや光ケーブルなどの有線あるいは無線を介して、離れた場所に設置されている機器間における遠隔操作が可能となってきている。その一例の機器間のリンク機能として、テレビとレコーダをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルで接続し、ＣＥＣ（Ｃｏｎｓｕｍｅｒ  Ｅｌｅｃｔｒｏｎｉｃｓ  Ｃｏｎｔｒｏｌ）の信号を利用して相互に通信することで、テレビのリモコンでレコーダを操作可能とする技術が知られている。
【０００３】
また、特許文献１ではレコーダに記録されたコンテンツの一覧を表示し、ユーザが所望のコンテンツを選択することで再生が開始されるシステムが開示されている。
【特許文献１】特開２００６−９４２１２号公報
【発明の開示】
【発明が解決しようとする課題】
【０００４】
しかしながら、特許文献１に記載のシステムでは、実際に再生が可能か不可能かに関わらずコンテンツの一覧を表示し、ユーザが一覧からコンテンツを選択した後に再生が可能かどうかを判別して、不可能な場合はその旨を通知する仕組みのため、ユーザにとって使い勝手が良くないという課題が存在した。
【０００５】
また、テレビとレコーダが、ＨＤＭＩとＥｔｈｅｒｎｅｔ（登録商標）の両方で接続されており、テレビとレコーダのコーデックの性能差などにより、ＨＤＭＩ経由ではレコーダが再生した映像がそのまま伝送されるためコンテンツを再生視聴可能だが、Ｅｔｈｅｒｎｅｔ（登録商標）経由では所定の形式で圧縮されたデータがレコーダからテレビへストリーミングされるため、テレビのデコーダが対応していない場合には再生不可能となる状況が発生するという課題が存在した。
【課題を解決するための手段】
【０００６】
上記従来の課題を解決するために本発明の視聴システムは、テレビと、前記テレビとＩＰにより接続され、前記テレビとＨＤＭＩにより接続可能な第１のレコーダとを備え、前記テレビと前記第１のレコーダとが前記ＨＤＭＩにより接続されていない場合は、前記第１のレコーダは、前記ＩＰを経由した前記テレビからの要求に応じて、前記第１のレコーダに記録されたコンテンツのうち前記ＩＰを通じて伝送できるコンテンツを視聴可能なコンテンツとした一覧を前記テレビに前記ＩＰを経由して提示し、前記テレビと前記第１のレコーダとが前記ＨＤＭＩにより接続されている場合は、前記第１のレコーダは、前記ＩＰを経由した前記テレビからの要求に応じて、前記第１のレコーダに記録された全てのコンテンツを視聴可能なコンテンツとした一覧を前記テレビに前記ＩＰを経由して提示し、
前記テレビは、前記提示された一覧を表示可能としたものである。
【０００７】
また、前記第１のレコーダは、前記ＩＰにより接続した前記テレビの能力を検出する第１の接続検出器を有し、前記第１のレコーダは、前記第１の接続検出器により検出した前記テレビの能力を基に、前記第１のレコーダに記録されたコンテンツのうちどれが前記ＩＰを通じて伝送できるコンテンツであるかを判断することを特徴とするものである。
【０００８】
また、前記テレビと前記第１のレコーダとが前記ＨＤＭＩにより接続されている場合は、前記第１のレコーダは、前記ＨＤＭＩを経由した前記テレビからの要求に応じて、前記レコーダに記録された全てのコンテンツを視聴可能なコンテンツとした一覧を前記テレビに前記ＨＤＭＩを経由して提示することを特徴とするものである。
【０００９】
また、前記テレビと前記第１のレコーダとが前記ＨＤＭＩにより接続されている場合は、前記テレビから前記第１のレコーダに対して、前記提示された一覧の中の前記ＩＰを通じては伝送できないものの前記ＨＤＭＩを通じて伝送できるコンテンツに対する再生指示が前記ＩＰを経由して行われたときに、前記テレビは、入力を前記ＩＰから前記ＨＤＭＩに切り替えてから、前記第１のレコーダが再生する前記コンテンツを前記ＨＤＭＩを通じて入力して表示することを特徴とするものである。
【００１０】
また、さらに、前記ＩＰにより、前記テレビと前記第１のレコーダとに接続された第２のレコーダを備え、前記テレビと前記第１のレコーダとが前記ＨＤＭＩにより接続されていない場合は、前記第２のレコーダは、前記ＩＰを経由した前記テレビからの要求に応じて、前記第１のレコーダに記録されたコンテンツと前記第２のレコーダに記録されたコンテンツとのうち前記ＩＰを通じて伝送できるコンテンツを視聴可能なコンテンツとした一覧を前記テレビに前記ＩＰを経由して提示し、前記テレビと前記第１のレコーダとが前記ＨＤＭＩにより接続されている場合は、前記第２のレコーダは、前記ＩＰを経由した前記テレビからの要求に応じて、前記第１のレコーダに記録された全てのコンテンツと、前記第２のレコーダに記録されたコンテンツのうち前記ＩＰを通じて伝送できるコンテンツとを視聴可能なコンテンツとした一覧を前記テレビに前記ＩＰを経由して提示することを特徴とするものである。
【００１１】
また、前記第２のレコーダは、前記ＩＰにより接続した前記テレビの能力を検出する第２の接続検出器を有し、前記第２のレコーダは、前記第２の接続検出器により検出した前記テレビの能力を基に、前記第２のレコーダに記録されたコンテンツのうちどれが前記ＩＰを通じて伝送できるコンテンツであるかを判断することを特徴とするものである。
【００１２】
また、前記テレビと前記第１のレコーダとが前記ＨＤＭＩにより接続されている場合は、前記テレビから前記第２のレコーダに対して、前記第２のレコーダから提示された前記一覧の中の、前記ＩＰを通じては伝送できないものの前記ＨＤＭＩを通じて伝送できるコンテンツに対する再生指示が前記ＩＰ経由で行われたときに、前記テレビは、入力を前記ＩＰから前記ＨＤＭＩに切り替えてから、前記第１のレコーダが再生する前記コンテンツを前記ＨＤＭＩを通じて入力して表示することを特徴とするものである。
【発明の効果】
【００１３】
本発明によれば、ユーザが一覧からコンテンツを選択する前に再生が可能かどうかを判別できるため、ユーザにとって使い勝手が良くなる。
【００１４】
また、ＨＤＭＩ経由でのみ表示可能なコンテンツに対しては、テレビの入力をＨＤＭＩに切り替えてからコンテンツを再生することにより、接続形態に応じて不要な入力切り替えを行わず、必要なときのみ再生可能となるよう自動的に切り替えが行われるため、ユーザの利便性が向上する。
【発明を実施するための最良の形態】
【００１５】
本発明を実施するための最良の形態について、図面を参照しながら説明する。
【００１６】
（実施の形態１）
図１は、本発明の実施の形態１に係る、複数機器のネットワーク接続による視聴システムの一例を示す模式図である。
【００１７】
レコーダ１とレコーダ２とテレビ３は、Ｅｔｈｅｒｎｅｔ（登録商標）ケーブルで接続されており、ＩＰネットワークを利用して相互に通信可能となっている。さらにレコーダ１とテレビ３はＨＤＭＩケーブルで接続されており、レコーダ１からテレビ３へ映像音声信号を伝送可能となっているとともに、ＣＥＣの信号を利用して相互に通信可能である。
【００１８】
説明をわかりやすくするため、宅内での機器の設置状況は、例えば、１階リビングにレコーダ１とテレビ３が設置されており、２階寝室にレコーダ２が設置されているものとする。レコーダ２には図示しないテレビが接続されていても良い。なお、宅内において１階リビングと２階寝室は離れた場所であり、一方の部屋から他方の部屋の機器に対しては電波あるいは赤外線が届かないため、リモコンによる直接操作はできない。
【００１９】
図２は、本発明の実施の形態におけるシステム構成の一例を示すブロック図である。
【００２０】
図２において、レコーダ２０は図１におけるレコーダ１またはレコーダ２に相当するものであり、テレビ３０は図１におけるテレビ３に相当するものであり、レコーダ２０とテレビ３０はＩＰネットワークで接続されている。さらに、レコーダ２０がレコーダ１である場合は、レコーダ２０とテレビ３０はＨＤＭＩを介しても接続可能であるが、レコーダ２０がレコーダ２である場合は、ＨＤＭＩ接続が無い。この状況を表すために、図２におけるＨＤＭＩ接続は、破線で示している。
【００２１】
まず、レコーダ２０の構成と動作について説明する。
【００２２】
レコーダ２０は、録画一覧機能、番組表機能、予約一覧機能を備え、各機能に応じたＧＵＩ（Ｇｒａｐｈｉｃａｌ  Ｕｓｅｒ  Ｉｎｔｅｒｆａｃｅ）を提供する。各ＧＵＩを描画するためのプログラムは、それぞれ録画一覧ＧＵＩ２１４、番組表ＧＵＩ２１５、予約一覧ＧＵＩ２１６であり、保存部２０６に記録されている。ここで、保存部２０６はハードディスクや半導体メモリなどの不揮発性の記憶領域である。
【００２３】
各機能が呼び出されると、画面提供部２０１が保存部２０６より該当するプログラムを読み出し、画面表示部２０２に引き渡す。画面表示部２０２は、画面提供部２０１から受け取ったプログラムを処理し、ＨＤＭＩ出力端子２２０を介して接続されているテレビ３０へＧＵＩ画面を出力する。
【００２４】
また、画面表示部２０２は、各ＧＵＩにおける画面のスクロールやページ更新などで必要となる情報を画面提供部２０１へ要求する。画面提供部２０１は受け取った要求に応じて、録画一覧処理部２１１、番組表処理部２１２、予約一覧処理部２１３へ処理を振り分ける。
【００２５】
このとき、録画一覧処理部２１１は受け取った要求に応じてコンテンツ管理部２０７へ情報取得要求を発行し、コンテンツ管理部２０７はレコーダ２０内に記録されている録画済コンテンツの情報を取得して録画一覧処理部２１１へ応答を返す。録画一覧処理部２１１から画面表示部２０２で動作している再生ナビＧＵＩプログラムに応答が返されることにより、一連の要求処理が完了する。
【００２６】
同様に、番組表処理部２１２は受け取った要求に応じて番組表管理部２０８へ情報取得要求を発行し、番組表管理部２０８はレコーダ２０内に記録されているＥＰＧ（Ｅｌｅｃｔｒｉｃ  Ｐｒｏｇｒａｍ  Ｇｕｉｄｅ）情報などの番組情報を取得して番組表処理部２１２へ応答を返す。番組表処理部２１２から画面表示部２０２で動作している番組表ＧＵＩプログラムに応答が返されることにより、一連の要求処理が完了する。
【００２７】
さらに同様に、予約一覧処理部２１３は受け取った要求に応じて予約管理部２０９へ情報取得要求を発行し、予約管理部２０９はレコーダ２０内に記録されている番組予約情報を取得して予約一覧処理部２１３へ応答を返す。予約一覧処理部２１３から画面表示部２０２で動作している予約一覧ＧＵＩプログラムに応答が返されることにより、一連の要求処理が完了する。
【００２８】
次に、テレビ３０の構成と動作を説明するとともにレコーダ２０も含めたシステム全体の動作を説明する。
【００２９】
テレビ３０は、レコーダ２０とＩＰネットワークを介して接続されている。テレビ３０のメニューにおいてレコーダ２０の機能の操作が選択されると、画面取得部３０１はＩＰネットワークを介してレコーダ２０の画面提供部２０１へ該当する機能のＧＵＩプログラムを要求する。画面提供部２０１は保存部２０６に記録されているＧＵＩプログラムから該当するものを画面取得部３０１へ送信する。画面取得部３０１は受信したＧＵＩプログラムを画面表示部３０２へ引き渡す。画面表示部３０２は画面取得部３０１から受け取ったプログラムを処理し、テレビ３０の画面に表示する。また、画面表示部３０２は、各ＧＵＩにおける画面のスクロールやページ更新などで必要となる情報を画面提供部２０１へ要求する。画面提供部２０１は画面表示部２０２からの要求と同様の処理を行い、応答を画面表示部３０２へ返す。
【００３０】
以上の動作により、ユーザは、テレビ３に付属のリモコンを用いてＩＰネットワーク経由で表示されたレコーダ１のユーザインタフェースが操作可能となる。
【００３１】
ここで、図２におけるレコーダ２０が図１におけるレコーダ１である場合は、テレビ３とレコーダ１との間でＨＤＭＩによるリンク機能を用いることで、同様にテレビ３に付属のリモコンを用いてレコーダ１のユーザインタフェースが操作可能である。このとき、画面表示部２０２で生成された画面は、ＨＤＭＩ出力端子２２０及びＨＤＭＩ入力端子３２０を介して伝送され、画面表示部３０２にてテレビ３０の画面に表示される。
【００３２】
また、図２におけるレコーダ２０が図１におけるレコーダ２である場合は、ユーザは、テレビ３に付属のリモコンを用いてＩＰネットワーク経由で表示されたレコーダ２のユーザインタフェースが操作可能となる。
【００３３】
ユーザがテレビ３０の画面上に表示されたユーザインタフェースを操作し、再生ナビＧＵＩでコンテンツを選択すると、画面表示部３０２はストリームクライアント３０５に対してデータ取得を依頼し、ストリームクライアント３０５はストリームサーバ２０５よりデータの転送を受け、再生映像を画面表示部３０２で再生する。なお、ストリームサーバ２０５は記録部２０４に保存されているコンテンツデータを取得する。記録部２０４にはレコーダ２０で録画したコンテンツのデータが蓄えられている。
【００３４】
ここで、レコーダ１は、ＩＰネットワーク用としてＨ．２６４形式とＭＰＥＧ２形式の２つのコーデックに対応しており、レコーダ２とテレビ３は、ＩＰネットワーク用としてＭＰＥＧ２にしか対応していない。
【００３５】
テレビ３において、ＨＤＭＩ経由でレコーダ１の録画一覧を表示すると、レコーダ１に記録されたコンテンツの一覧が表示される。このとき、ＨＤＭＩでは、Ｈ．２６４形式のコンテンツでもＭＰＥＧ２形式のコンテンツでも、レコーダ１自身がデコードしたのち映像信号として伝送するため、Ｈ．２６４形式で録画されていても、ＭＰＥＧ２形式で録画されていても、どちらでもユーザが選択可能な状態で録画一覧に表示される。
【００３６】
一方、レコーダ１とテレビ３がＨＤＭＩでは接続されていない状態で、ＩＰネットワーク経由でレコーダ１の録画一覧を表示すると、レコーダ１に記録されたコンテンツのうち、ＭＰＥＧ２形式のものだけが選択可能な状態で表示され、Ｈ．２６４形式のものは表示されないか、または、グレーアウトなどされて選択不可能な状態で表示される。これは、テレビ３がＩＰネットワーク用としてＭＰＥＧ２にしか対応しておらず、レコーダ１に記録されているコンテンツのうち、ＩＰネットワーク経由にてテレビ３で再生可能なものがＭＰＥＧ２形式に限定されるためである。つまり、ユーザが再生不可能なコンテンツを間違って選択しないように考慮されている。
【００３７】
さらに、レコーダ１とテレビ３がＨＤＭＩとＩＰネットワークの両方で接続されている状態で、ＩＰネットワーク経由でレコーダ１の録画一覧を表示すると、Ｈ．２６４形式で録画されていても、ＭＰＥＧ２形式で録画されていても、どちらでもユーザが選択可能な状態で録画一覧が表示される。
【００３８】
以下、図を参照しながら詳細を説明する。
【００３９】
図３は本発明の実施の形態１における表示判断手順を示すフローチャートである。
【００４０】
テレビ３０は、接続検出部３０３において、ＨＤＭＩ端子あるいはＥｔｈｅｒｎｅｔ（登録商標）端子に機器が接続されたことを検出し、各接続機器のＭＡＣアドレスを取得して保存する。図１の構成において、テレビ３は、ＨＤＭＩ経由で取得したＭＡＣアドレス１つと、ＩＰネットワーク経由で取得したＭＡＣアドレス２つを保存することになる。このとき、ＩＰネットワーク経由で取得したＭＡＣアドレスのうちの１つがＨＤＭＩ経由で取得したＭＡＣアドレスと一致するため、そのＭＡＣアドレスの機器、すなわち、レコーダ１がＨＤＭＩとＩＰネットワークの両方で接続されていると認識される（ステップＳ３０）。
【００４１】
接続検出部３０３は、さらに、検出した各機器の能力情報を取得、あるいは、自機の能力情報を提供して、機器間の能力交換を行う。これにより、図１の例においては、レコーダ１がＨ．２４６とＭＰＥＧ２に対応しており、レコーダ２がＭＰＥＧ２にのみ対応していることが保存・認識される（ステップＳ３１）。
【００４２】
ユーザがレコーダ１の録画一覧表示操作を行う（ステップＳ３２）と、テレビ３は、現在の入力がＨＤＭＩ入力かどうかを判断し（ステップＳ３３）、入力がＨＤＭＩである場合は、ＨＤＭＩ経由でレコーダ１へ録画一覧表示を要求し、ＨＤＭＩを用いたリンク機能を用いてユーザに操作させる（ステップＳ３４）。ＨＤＭＩではない場合は、ＩＰネットワーク経由でレコーダ１へ録画一覧表示を要求し、ＩＰネットワークを用いてユーザに操作させる（ステップＳ３５）。
【００４３】
次に、レコーダ２０の動作について説明する。
【００４４】
レコーダ２０は、接続検出部２１７において、ＨＤＭＩ端子あるいはＥｔｈｅｒｎｅｔ（登録商標）端子に機器が接続されたことを検出し、各接続機器のＭＡＣアドレスを取得して保存する。図１の構成において、レコーダ１は、ＨＤＭＩ経由で取得したＭＡＣアドレス１つと、ＩＰネットワーク経由で取得したＭＡＣアドレス２つを保存することになる。このとき、ＩＰネットワーク経由で取得したＭＡＣアドレスのうちの１つがＨＤＭＩ経由で取得したＭＡＣアドレスと一致するため、そのＭＡＣアドレスの機器、すなわち、テレビ３がＨＤＭＩとＩＰネットワークの両方で接続されていると認識される（ステップＳ１０）。
【００４５】
接続検出部２１７は、さらに、検出した各機器の能力情報を取得、あるいは、自機の能力情報を提供して、機器間の能力交換を行う。これにより、図１の例においては、テレビ３がＭＰＥＧ２にのみ対応していることが保存・認識される（ステップＳ１１）。
【００４６】
レコーダ２０はＩＰネットワーク経由で録画一覧表示の要求を受ける（ステップＳ１２）と、接続検出部２１７で保存している情報を利用して、その要求元がＨＤＭＩで接続されたテレビかどうかを判断し（ステップＳ１３）、ＨＤＭＩ接続である場合は、すべてのコンテンツを再生可能であるとして録画一覧データをＩＰネットワーク経由で要求元へ送信する（ステップＳ１４）。ＨＤＭＩ接続でない場合は、ＩＰネットワーク経由で送信可能なコンテンツ、すなわち、上記の例ではＭＰＥＧ２のコンテンツ以外は非表示あるいはグレーアウトとするようにして録画一覧データをＩＰネットワーク経由で要求元へ送信する（ステップＳ１５）。
【００４７】
以上の手順により、例えば図１において、テレビ３からレコーダ２の録画一覧をＩＰネットワーク経由で表示している状態から、レコーダ１の録画一覧をＩＰネットワーク経由で表示するよう切り替えた場合、本来ＩＰネットワーク経由では視聴できないＨ．２６４コンテンツについても、ＨＤＭＩ経由で視聴可能なことが判別できるため、表示される録画一覧上では、選択できないようにグレーアウトされるコンテンツが発生せず、Ｈ．２６４のコンテンツもすべて選択可能に表示される。すなわち、ＩＰネットワーク経由の画面でありながら、ＨＤＭＩ経由で再生可能なコンテンツもすべて選択可能に表示するために、わざわざ切り替え待ち時間が発生するＨＤＭＩ入力に切り替えなくても、レコーダ１とレコーダ２のコンテンツ一覧をＩＰネットワーク表示のままスムースな画面表示切り替えが可能となり、コンテンツを選択した時点で、必要に応じてＨＤＭＩ入力に切り替えてコンテンツの再生を実行することにより、ユーザの使い勝手が向上する。
【００４８】
なお、上記ではテレビ３で表示する録画一覧画面が、レコーダ１とレコーダ２のそれぞれの機器が記録しているコンテンツのみで構成されるものとしているが、レコーダ１あるいはレコーダ２が他方のレコーダが保持するコンテンツの一覧を保持し、テレビ３からの録画一覧表示要求に対して、他方のレコーダのコンテンツも含めた録画一覧画面を提供してもよい。この場合も、レコーダ１のコンテンツは、ＨＤＭＩ経由で再生可能なコンテンツもすべて選択可能に表示される。
【００４９】
また、上記において、録画一覧ＧＵＩ２１４、番組表ＧＵＩ２１５、予約一覧ＧＵＩ２１６はＪａｖａ（登録商標）ｓｃｒｉｐｔやＨＴＭＬ（Ｈｙｐｅｒ  Ｔｅｘｔ  Ｍａｒｋｕｐ  Ｌａｎｇｕａｇｅ）などの人が可読なプログラム言語で作成されていても良いし、Ｃ言語等で作成されたコードがコンパイルされた不可読なバイナリーのプログラムであってもよい。また、これらのプログラムを読み込み、処理して画面を表示する画面表示部３０２及び画面表示部２０２は、Ｊａｖａ（登録商標）ｓｃｒｉｐｔやＨＴＭＬに対応したブラウザであっても良いし、Ｃ言語のバイナリープログラムに対応した専用アプリケーションであっても良い。また、画面提供部２０１と画面取得部３０１あるいは画面表示部３０２との間の通信はＨＴＴＰ（Ｈｙｐｅｒｔｅｘｔ  Ｔｒａｎｓｆｅｒ  Ｐｒｏｔｏｃｏｌ）形式が望ましいが、これに限定するものではない。ＨＴＴＰ形式で通信する場合は、画面提供部２０１がＨＴＴＰサーバ機能を有している。
【００５０】
また、上記においては、テレビ３とレコーダ１の性能差をコーデックの違いを例に挙げて説明したが、本発明を適用可能な性能差はこれに限らない。
【００５１】
複数の機器が接続される状況においては、すべての機器が同じ性能を持っているとは限らず、ユーザが経年とともに順次買い足していくシチュエーションを考えると、それぞれの機器の性能は異なっており、一般的には新しい機器が古い機器の性能を包含することが多い。本発明により、ユーザが機器間の接続形態や性能差を意識することなく操作が可能となり、利便性が向上する。
【産業上の利用可能性】
【００５２】
本発明は、テレビ、レコーダなどのＡＶ機器がネットワークで接続された構成における操作性の向上に有用である。
【図面の簡単な説明】
【００５３】
【図１】本発明の実施の形態１における複数機器のネットワーク接続の一例を示す模式図
【図２】本発明の実施の形態１におけるシステム構成の一例を示すブロック図
【図３】本発明の実施の形態１における表示判断手順を示すフローチャート
【符号の説明】
【００５４】
１  レコーダ
２  レコーダ
３  テレビ
２０  レコーダ
３０  テレビ
２０１  画面提供部
２０２  画面表示部
２０４  記録部
２０５  ストリームサーバ
２０６  保存部
２０７  コンテンツ管理部
２０８  番組表管理部
２０９  予約管理部
２１７  接続検出部
２２０  ＨＤＭＩ出力端子
３０１  画面取得部
３０２  画面表示部
３０３  接続検出部
３０５  ストリームクライアント
３２０  ＨＤＭＩ入力端子
【図１】
2009253789.tif 000003
【図２】
2009253789.tif 000004
【図３】
2009253789.tif 000005